(57)【要約】【課題】電力が非供給時であっても表示しているコンテンツをメインディスプレイに保持し、他方で、ユーザインターフェイスのような高速の応答性が必要な情報を、表示させる必要がある場合に限りサブディスプレイに表示することで、画像表示装置の消費電力を低く抑える。【解決手段】画像表示装置１は、電力非供給時に表示内容を保持するメインディスプレイ１０と、電力が供給される場合に限りメインディスプレイ１０で表示する内容に関する情報を表示するサブディスプレイ２０と、前記第２の表示手段で表示される情報に対する指示を入力すべく操作される操作部３５と、メインディスプレイ１０およびサブディスプレイ２０への電力の供給を制御する電力制御部５５とを備え、前記電力制御部５５は、前記入力された指示に応じて、メインディスプレイ１０、またはサブディスプレイ２０の何れかに電力を供給する。【選択図】図３
2007114543.tif 000002
【特許請求の範囲】
【請求項１】
電力非供給時に表示内容を保持する第１の表示手段と、
電力が供給される場合に限り前記表示内容に関する情報を表示する第２の表示手段と、
前記第２の表示手段で表示される情報に対する指示を入力すべく操作される操作部と、
前記第１の表示手段および前記第２の表示手段への電力の供給を制御する電力制御部とを
備え、
前記電力制御部は、前記入力された指示に応じて、前記第１の表示手段、または前記第２
の表示手段の何れかに電力を供給することを特徴とする画像表示装置。
【請求項２】
請求項１に記載の画像表示装置において、
前記電力制御部は、
前記操作部での操作の開始を受けて、前記第２の表示手段への電力の供給を開始すること
を特徴とする画像表示装置。
【請求項３】
請求項１乃至２のいずれかに記載の画像表示装置において、
前記電力制御部は、
前記操作部での操作の終了を受けて、前記第２の表示手段への電力の供給を休止すること
を特徴とする画像表示装置。
【請求項４】
請求項１乃至３のいずれか１項に記載の画像表示装置において、
前記電力制御部は、
更に、前記第２の表示手段で表示すべき情報の有無に応じて、前記第２の表示手段への電
力の供給を制御することを特徴とする画像表示装置。
【請求項５】
請求項１乃至４のいずれか１項に記載の画像表示装置において、
前記第２の表示手段は、
前記第１の表示手段の近傍に配置されると共に、前記第１の表示手段よりも表示可能な領
域が狭いことを特徴とする画像表示装置。
【発明の詳細な説明】
【技術分野】
【０００１】
本発明は、コンテンツを表示する画像表示装置に関する。
【背景技術】
【０００２】
現在、表示記憶性を有する表示画面を備えた画像表示装置が用いられている。このよう
な表示画面は、リフレッシュの必要がないことから、画面上にフリッカーが発生しないた
め、表示画面を見るユーザの目に優しく、紙に近い表示品質が得られることが知られてい
る。他方で、このような表示画面は、表示を書き換える速度が遅いため、動きのあるユー
ザインターフェイス画像を表示させると、スムーズに操作できないという問題を有した。
このような問題に対処するために、下記特許文献１に記載されている表示媒体は、表示
画面とは独立して、表示の応答速度が高速な表示非記憶性のサブディスプレイを設け、ユ
ーザインターフェイス画像等のコンテンツに関する情報を、このサブディスプレイに表示
させていた。
【０００３】
【特許文献１】特開２００４−１０２６６１号公報
【発明の開示】
【発明が解決しようとする課題】
【０００４】
しかしながら、表示媒体が稼動されている間は、サブディスプレイで表示すべき情報の
有無に依らず、サブディスプレイには常に電力が供給され、サブディスプレイは、この電
力を消費する表示状態であったため、表示媒体の消費電力を低く抑えることはできなかっ
た。
【課題を解決するための手段】
【０００５】
上記した課題を解決するために、本発明の画像表示装置は、電力非供給時に表示内容を
保持する第１の表示手段と、電力が供給される場合に限り前記表示内容に関する情報を表
示する第２の表示手段と、前記第２の表示手段で表示される情報に対する指示を入力すべ
く操作される操作部と、前記第１の表示手段および前記第２の表示手段への電力の供給を
制御する電力制御部とを備え、前記電力制御部は、前記入力された指示に応じて、前記第
１の表示手段、または前記第２の表示手段の何れかに電力を供給することを特徴とする。
【０００６】
この発明によれば、操作部で入力された指示に応じて、第１の表示手段、または第２の
表示手段の何れか一方にのみ電力が供給されることから、入力された指示に係らない表示
手段には電力が供給されない。従って、電力非供給時に表示内容を保持する第１の表示手
段は、入力された指示に係るか、否かに関係無く、表示内容を保持する一方で、電力が供
給される場合に限り表示可能な第２の表示手段は、入力された指示に係らない場合、非表
示状態になるため、画像表示装置の消費電力を抑えることができる。
【０００７】
本発明では、前記電力制御部は、前記操作部での操作の開始を受けて、前記第２の表示
手段への電力の供給を開始することが好ましい。
【０００８】
また、本発明では、前記電力制御部は、前記操作部での操作の終了を受けて、前記第２
の表示手段への電力の供給を休止することが好ましい。
【０００９】
この発明によれば、第２の表示手段は、表示が必要になった場合に電力が供給されるこ
とに加え、表示が不要になった場合に電力の供給が休止されるため、画像表示装置の消費
電力を抑えることができる。
【００１０】
本発明では、前記電力制御部は、更に、前記第２の表示手段で表示すべき情報の有無に
応じて、前記第２の表示手段への電力の供給を制御することが好ましい。
【００１１】
この発明によれば、第２の表示手段で表示すべき情報が無い場合は、第２の表示手段に
電力が供給されないため、画像表示装置の消費電力を抑えることができる。
【００１２】
本発明では、前記第２の表示手段は、前記第１の表示手段の近傍に配置されると共に、
前記第１の表示手段よりも表示可能な領域が狭くても良い。
【発明を実施するための最良の形態】
【００１３】
以下、本発明の実施形態について、携帯可能な電子機器装置である画像表示装置１を用
いて説明する。
（実施形態）
【００１４】
図１は、本実施形態における画像表示装置１の外観を示す図である。この画像表示装置
１は、電子書籍等の表示に使用される電子ペーパとして使用される。この画像表示装置１
の表面には、広範な表示領域を有するメインディスプレイ１０と、このメインディスプレ
イ１０よりも狭い表示領域を有するサブディスプレイ２０と、ユーザが操作可能な操作ボ
タン３０とが近接して配置されている。
【００１５】
メインディスプレイ１０には、電子書籍等のコンテンツ画像１００が表示される。また
、サブディスプレイ２０には、表示するコンテンツ画像１００や画像表示装置１の機能が
メニュー画像１２０で表示される。操作ボタン３０は、この画像表示装置１の操作や、メ
ニュー画像１２０の中から所望する項目を選択すべく使用される。例えば、ユーザが「Ｍ
ＥＮＵ」ボタン３０Ｄを押下すると、サブディスプレイ２０には、メニュー画像１２０が
表示される。また、ユーザが方向ボタン３０Ａを操作することで、メニュー画像１２０の
中の選択フレーム１２５は、方向ボタン３０Ａに応じて移動される。ここで、ユーザが「
ＳＥＴ」ボタン３０Ｂを押下することで、選択フレーム１２５が示す項目に決定され、こ
の項目に応じたコンテンツ画像１００がメインディスプレイ１０に表示される。
【００１６】
また、ユーザが「ＥＸＩＴ」ボタン３０Ｃを押下すると、現在実行されている処理は中
止され、一つ前の状態に戻る。また、図示は略すが、この画像表示装置１の側面や裏面に
は、外部の機器との間で種々の情報を授受する通信ポートや、メモリカードのような脱着
可能なフラッシュメモリ６４を装着できるドライブや、外部から電源を取込むコネクタ等
を備える。
【００１７】
図２は、画像表示装置１のハードウェア構成を示す図である。この画像表示装置１は、
ＣＰＵ６０と、ＲＡＭ６２と、フラッシュメモリ６４と、ＲＯＭ６６と、メインディスプ
レイコントローラ７０と、サブディスプレイコントローラ７２と、入力Ｉ／Ｆ６８と、出
力Ｉ／Ｆ７４とを備え、これらのハードウェアは、バス７８により各信号が授受可能に接
続されている。尚、これらのハードウェアは、所定のオペレーティングシステム（ＯＳ）
により管理され、これらの管理下で、ＲＯＭ６６やフラッシュメモリ６４に記憶されたド
ライバを含む種々のソフトウェアにより、所定の機能が実行される。
【００１８】
ＣＰＵ６０は、基本ソフトウェア、接続された周辺機器のデバイスドライバなどの各種
プログラム、およびコンテンツ等の各種のデータを、ＲＯＭ６６やフラッシュメモリ６４
から読み込み、これらをＲＡＭ６２内に設けられるメインメモリ領域に展開して実行する
。尚、このＣＰＵ６０は、通常時には休止状態であるパワーダウンモードに遷移されるこ
とに加え、ユーザにより「ＭＥＮＵ」ボタン３０Ｄが押下されると、パワーアップモード
に遷移されるように構成されている。メインディスプレイコントローラ７０は、ＣＰＵ６
０の指示に従い、コンテンツ画像１００をメインディスプレイ１０に表示する。また、サ
ブディスプレイコントローラ７２は、ＣＰＵ６０の指示に従い、メニュー画像１２０をサ
ブディスプレイ２０に表示する。
【００１９】
メインディスプレイ１０は、解像度が２００ｄｐｉ程度であり、電力非供給時において
も表示内容を保持する記憶性を有する表示体である。このような表示体は、例えば、コレ
ステリック液晶パネルや電気泳動方式の表示体を採用できる。また、サブディスプレイ２
０は、表示の応答速度が速く、表示内容の保持に電力を要するディスプレイであれば、ど
のような方式でも良く、例えば、液晶パネルを採用できる。
【００２０】
出力Ｉ／Ｆ７４には、メインディスプレイ電源Ｏｎ／Ｏｆｆ回路５６と、サブディスプ
レイ電源Ｏｎ／Ｏｆｆ回路５８が所定の規格に従い接続されている。メインディスプレイ
電源Ｏｎ／Ｏｆｆ回路５６は、電源回路５２からメインディスプレイコントローラ７０と
、メインディスプレイ１０とに供給される電力を制御する。同様に、サブディスプレイ電
源Ｏｎ／Ｏｆｆ回路５８は、電源回路５２からサブディスプレイコントローラ７２と、サ
ブディスプレイ２０とに供給される電力を制御する。また、入力Ｉ／Ｆ６８には、操作ボ
タン３０が所定の規格に従い接続されている。尚、本実施形態では、メインディスプレイ
電源Ｏｎ／Ｏｆｆ回路５６とサブディスプレイ電源Ｏｎ／Ｏｆｆ回路５８は、ＣＰＵ６０
に制御される構成であるが、これに限定されるものでは無く、図示は略すが、メインディ
スプレイ電源Ｏｎ／Ｏｆｆ回路５６とサブディスプレイ電源Ｏｎ／Ｏｆｆ回路５８は、Ｃ
ＰＵ６０と連携したサブのＣＰＵに制御される構成であっても良い。
【００２１】
図３は、画像表示装置１の機能構成を示す機能ブロック図である。この中で、画像表示
装置１は、操作部３５と、コンテンツデータ取得部４０と、電力供給部５０と、電力制御
部５５と、電子ペーパ機能制御手段１１０と、コンテンツ画像生成手段１０５と、ユーザ
インターフェイス画像生成手段１１５と、第１の表示手段１５と、第２の表示手段２５と
を備える。
【００２２】
コンテンツデータ取得部４０は、電子ペーパ機能制御手段１１０からの指示に従い、電
子書籍等のコンテンツデータを取得する。具体的には、脱着可能なフラッシュメモリ６４
や、通信ポート（図示せず）を介して外部の機器から、電子書籍のファイルデータを取得
する。
【００２３】
操作部３５は、ユーザの操作により、表示に関する指示が入力される。具体的には、ボ
タン（３０Ｂ，３０Ｃ，３０Ｄ）が押下されたり、サブディスプレイ２０に表示されたメ
ニュー画像１２０の中から、所望する項目が方向ボタン３０Ａで選択される。操作部３５
で選択された指示に関する情報は、電子ペーパ機能制御手段１１０と、電力制御部５５に
送られる。
【００２４】
電子ペーパ機能制御手段１１０は、画像表示装置１が電子ペーパとして機能すべく各機
能部を制御する。具体的には、この電子ペーパ機能制御手段１１０は、予め画像表示装置
１にインストールされたアプリケーションプログラムである。このアプリケーションプロ
グラムは、操作部３５等の各機能部から送られるメッセージに従い駆動するメッセージ駆
動型のプログラムである。従って、操作部３５から送られる指示に関するメッセージを受
けて、コンテンツデータ取得部４０にコンテンツデータの取得指示を与え、コンテンツデ
ータ取得部４０が取得したコンテンツのデータの中から画像を生成するためのデータを、
コンテンツ画像生成手段１０５に送る。また、メニュー画像１２０や、ユーザへのメッセ
ージを示す画像を生成するためのデータを、ユーザインターフェイス画像生成手段１１５
に送る。更に、コンテンツ画像生成手段１０５や、ユーザインターフェイス画像生成手段
１１５に送られたデータに関する情報を電力制御部５５に送る。
【００２５】
コンテンツ画像生成手段１０５は、電子ペーパ機能制御手段１１０から送られるデータ
に基き、コンテンツ画像１００のデータを生成する。生成された画像のデータは、第１の
表示手段１５に送られる。
【００２６】
第１の表示手段１５は、前記画像のデータを受け、電力制御部５５から送られる電力を
得て、コンテンツ画像１００をメインディスプレイ１０に表示する。
【００２７】
ユーザインターフェイス画像生成手段１１５は、電子ペーパ機能制御手段１１０から送
られるデータに基き、メニュー画像１２０のようなＧＵＩ（Graphical User Interface）
画像のデータを生成する。生成された画像のデータは、第２の表示手段２５に送られる。
【００２８】
第２の表示手段２５は、表示すべき画像のデータを受け、電力制御部５５から送られる
電力を得て、この画像をサブディスプレイ２０に表示する。
【００２９】
電力供給部５０は、第１の表示手段１５、および第２の表示手段２５が稼動可能な電力
を供給する。この電力供給部５０から供給された電力は、電力制御部５５に送られる。
【００３０】
電力制御部５５は、操作部３５から送られる情報や、電子ペーパ機能制御手段１１０か
ら送られる情報に基いて、電力供給部５０から送られた電力を制御する。具体的には、電
力制御部５５は、ユーザの操作指示や、表示すべき情報の有無に応じて、第１の表示手段
１５、または第２の表示手段２５の何れかに対して、電力の供給を許可する。
【００３１】
例えば、「ＭＥＮＵ」ボタン３０Ｄがユーザにより押下され、操作部３５での操作が開
始された場合、電力制御部５５は、第２の表示手段２５に対して電力の供給を開始する。
この結果、サブディスプレイ２０上に選択枝を有するメニュー画像１２０が表示される。
続いて、ユーザにより、表示されたメニュー画像１２０の中から、所望するコンテンツフ
ァイルが選択され、操作部３５での操作が終了された場合、電力制御部５５は、第２の表
示手段２５に対して電力の供給を停止すると共に、第１の表示手段１５に対して電力の供
給を開始する。この結果、サブディスプレイ２０には何も表示されない状態に遷移される
と共に、メインディスプレイ１０には、選択されたコンテンツの画像が表示される。続い
て、電力制御部５５は、第１の表示手段１５に対して電力の供給を停止するが、メインデ
ィスプレイ１０は表示に対して記憶性を有するため、現在表示しているコンテンツの画像
は継続して表示される。
【００３２】
また、例えば、ユーザの誤操作に対して、画像表示装置１がユーザにメッセージを示す
必要が生じた場合、電子ペーパ機能制御手段１１０は、このメッセージを示す画像を生成
してユーザインターフェイス画像生成手段１１５に送ると共に、生成した画像に関する情
報を電力制御部５５に送る。電力制御部５５は、この情報を受けて、第２の表示手段２５
に対して電力の供給を開始する。この結果、サブディスプレイ２０上にメッセージを示す
画像が表示される。この場合も、ユーザにより所定の操作ボタン３０が押下されるのを受
けて、電力制御部５５は、第２の表示手段２５に対して電力の供給を停止する。
【００３３】
以上、画像表示装置１の各機能部を説明したが、これらの機能は、前記したハードウェ
ア資源と、ソフトウェアとが有機的に協働することで実現される。
【００３４】
図４は、画像表示装置１の「ＭＥＮＵ」ボタン３０Ｄが押下された場合の処理の流れを
示すフローチャートであり、この図に従い、画像表示装置１の処理の流れを説明する。
【００３５】
最初に、「ＭＥＮＵ」ボタン３０Ｄが押下されると、ユーザインターフェイス画像生成
手段１１５は、サブディスプレイ２０で表示するメニュー画像１２０を生成する（ステッ
プＳ１５０）。
【００３６】
続いて、電力制御部５５は、サブディスプレイ２０を有する第２の表示手段２５に対し
て電力の供給を開始する（ステップＳ１５２）。
【００３７】
この結果、サブディスプレイ２０には、メインディスプレイ１０で表示するコンテンツ
を選択するメニュー画像１２０が表示される（ステップＳ１５４）。
【００３８】
続いて、ユーザによりメニュー画像１２０の中から所定のメニューが選択され、操作ボ
タン３０が押下されたか、否かが判定される（ステップＳ１５６）。ここで、操作ボタン
３０が押下されない場合（ステップＳ１５６でＮｏ）、操作ボタン３０が押下されるまで
前記判定（ステップＳ１５６）を繰り返す。他方で、何れかの操作ボタン３０が押下され
た場合（ステップＳ１５６でＹｅｓ）、次の工程（ステップＳ１５８）に進む。
【００３９】
次に、ユーザが選択した操作が、画像表示装置１の稼動を終了する操作であったか、否
かが判定される（ステップＳ１５８）。ここで、ユーザが選択した操作が、画像表示装置
１の稼動を終了する操作であった場合（Ｓ１５８でＹｅｓ）、全ての機能部に対して終了
指示を送る（ステップＳ１７０）。この結果、画像表示装置１は休止の状態になり、操作
ボタン３０の押下を待つ状態に戻る。
【００４０】
他方で、ユーザが選択した操作が、画像表示装置１の稼動を終了する操作でなかった場
合（Ｓ１５８でＮｏ）、電力制御部５５は、第２の表示手段２５に対する電力の供給を停
止する（ステップＳ１６０）。この結果、サブディスプレイ２０に表示されていたメニュ
ー画像１２０は消去され、サブディスプレイ２０は、何も表示しない状態に遷移する。
【００４１】
続いて、コンテンツ画像生成手段１０５は、メニュー画像１２０で選択されたコンテン
ツの画像を生成する（ステップＳ１６２）。
【００４２】
次に、電力制御部５５は、第１の表示手段１５に対して電力の供給を開始する（ステッ
プＳ１６４）。
【００４３】
この結果、メインディスプレイ１０には、コンテンツ画像１００が表示される（ステッ
プＳ１６６）。
【００４４】
続いて、電力制御部５５は、第１の表示手段１５に対する電力の供給を停止した（ステ
ップＳ１６８）後、操作ボタン３０の押下を待つ状態に戻る。尚、電力の供給が停止され
た状態でも、メインディスプレイ１０に表示されていたコンテンツ画像１００は、継続し
て表示される。
【００４５】
以上述べた実施形態によれば、以下のような効果を奏する。
（１）メインディスプレイ１０とサブディスプレイ２０の内、ユーザの操作に基き、ユ
ーザが注視すべき一方のディスプレイには、電力が供給されると共に、ユーザが注視する
必要が無い他方のディスプレイには、電力の供給が停止されるため、電力が効率的に消費
される。
（２）サブディスプレイ２０は、表示の応答性が高速であるため、ユーザとの情報の授
受をスムーズに実現できる。
【００４６】
以上、本発明を図示した実施形態に基づいて説明したが、本発明は、本実施形態に限定
されるものではなく、以下に述べるような変形例も想定できる。
（１）画像表示装置１のサブディスプレイ２０は、１つに限定されず、複数あっても良
い。
【図面の簡単な説明】
【００４７】
【図１】本発明の実施形態に係る画像表示装置の外観を示す図。
【図２】本発明の実施形態に係る画像表示装置のハードウェア構成を示す図。
【図３】本発明の実施形態に係る画像表示装置の機能構成を示す機能ブロック図。
【図４】本発明の実施形態に係る画像表示装置の処理の流れを示すフローチャート。
【符号の説明】
【００４８】
１…画像表示装置、１０…メインディスプレイ、１５…第１の表示手段、２０…サブデ
ィスプレイ、２５…第２の表示手段、３０…操作ボタン、３０Ａ…方向ボタン、３０Ｂ…
「ＳＥＴ」ボタン、３０Ｃ…「ＥＸＩＴ」ボタン、３０Ｄ…「ＭＥＮＵ」ボタン、３５…
操作部、４０…コンテンツデータ取得部、５０…電力供給部、５２…電源回路、５５…電
力制御部、５６…メインディスプレイ電源Ｏｎ／Ｏｆｆ回路、５８…サブディスプレイ電
源Ｏｎ／Ｏｆｆ回路、６０…ＣＰＵ、６２…ＲＡＭ、６４…フラッシュメモリ、６６…Ｒ
ＯＭ、６８…入力Ｉ／Ｆ、７０…メインディスプレイコントローラ、７２…サブディスプ
レイコントローラ、７４…出力Ｉ／Ｆ、７８…バス、１００…コンテンツ画像、１０５…
コンテンツ画像生成手段、１１０…電子ペーパ機能制御手段、１１５…ユーザインターフ
ェイス画像生成手段、１２０…メニュー画像、１２５…選択フレーム。
【図１】
2007114543.tif 000003
【図２】
2007114543.tif 000004
【図３】
2007114543.tif 000005
【図４】
2007114543.tif 000006